(57)【要約】【課題】取引別にレシートを発行することを目的としている。【解決手段】預かり金額を取得し、第１の会計処理と第２の会計処理とを含む複数の会計処理を行う指示を受けると、前記預かり金額と、該預かり金額から前記第１の会計処理に対応する金額を減算した額に対応する釣銭額とを含む第１のレシートを発行するとともに、前記釣銭額に対応する預かり金額と、前記釣銭額に対応する預かり金額から前記第２の会計処理に対応する金額を減算した額に対応する釣銭額とを含む第２のレシートとを発行する、処理をコンピュータに実行させる会計処理プログラムである。【選択図】図１３
2018185761.tif 000002
【特許請求の範囲】
【請求項１】
預かり金額を取得し、
第１の会計処理と第２の会計処理とを含む複数の会計処理を行う指示を受けると、前記預かり金額と、該預かり金額から前記第１の会計処理に対応する金額を減算した額に対応する釣銭額とを含む第１のレシートを発行するとともに、前記釣銭額に対応する預かり金額と、前記釣銭額に対応する預かり金額から前記第２の会計処理に対応する金額を減算した額に対応する釣銭額とを含む第２のレシートとを発行する、
処理をコンピュータに実行させることを特徴とする会計処理プログラム。
【請求項２】
第１の預かり金額を取得し、
第１の会計処理と第２の会計処理とを含む複数の会計処理を行う指示を受けると、前記第１の預かり金額以下であって、前記第１の会計処理に対応する金額を預かり金額として表示し、釣銭を０円として表示した第１のレシートと、前記第１の預かり金額から前記第１の会計処理に対応する金額を引いて得られる金額を第２の預かり金額として表示し、該第２の預かり金額から前記第２の会計処理に対応する金額を引いて得られる金額を釣銭額として表示した第２のレシートを発行する、
処理をコンピュータに実行させることを特徴とする会計処理プログラム。
【請求項３】
取引の入力が行われる登録装置から、取引の内容を示す情報を受信し、
受信した前記情報に、複数の取引の内容を示す情報が含まれか否かを判定し、
複数の前記取引の内容を示す情報が含まれるとき、前記複数の取引と対応する前記第１の会計処理と、前記第２の会計処理とを行う、処理を前記コンピュータに実行させることを特徴とする請求項１又は２記載の会計処理プログラム。
【請求項４】
指定された額の預金引き出し処理と、会計処理とをまとめて行う操作を受け付けると、前記指定された額の預金引き出し処理と、該預金引き出し処理で引き出される額を預かり金額に含めて前記会計処理とを実行し、
前記預金引き出し処理の明細と、前記会計処理のレシートとを発行する、
処理をコンピュータに実行させることを特徴とする会計処理プログラム。
【請求項５】
前記預金引き出しの処理は、前記会計処理で必要となる金額を前記引き出される額とする、
ことを特徴とする、請求項４記載の会計処理プログラム。
【請求項６】
預かり金額を取得し、
第１の会計処理と第２の会計処理とを含む複数の会計処理を行う指示を受けると、前記預かり金額と、該預かり金額から前記第１の会計処理に対応する金額を減算した額に対応する釣銭額とを含む第１のレシートを発行するとともに、前記釣銭額に対応する預かり金額と、前記釣銭額に対応する預かり金額から前記第２の会計処理に対応する金額を減算した額に対応する釣銭額とを含む第２のレシートとを発行する、
処理をコンピュータが実行することを特徴とする会計処理方法。
【請求項７】
第１の預かり金額を取得し、
第１の会計処理と第２の会計処理とを含む複数の会計処理を行う指示を受けると、前記第１の預かり金額以下であって、前記第１の会計処理に対応する金額を預かり金額として表示し、釣銭を０円として表示した第１のレシートと、前記第１の預かり金額から前記第１の会計処理に対応する金額を引いて得られる金額を第２の預かり金額として表示し、該第２の預かり金額から前記第２の会計処理に対応する金額を引いて得られる金額を釣銭額として表示した第２のレシートを発行する、
処理をコンピュータが実行することを特徴とする会計処理方法。
【請求項８】
指定された額の預金引き出し処理と、会計処理とをまとめて行う操作を受け付けると、前記指定された額の預金引き出し処理と、該預金引き出し処理で引き出される額を預かり金額に含めて前記会計処理とを実行し、
前記預金引き出し処理の明細と、前記会計処理のレシートとを発行する、
処理をコンピュータが実行することを特徴とする会計処理方法。
【請求項９】
預かり金額を取得する取得部と、
第１の会計処理と第２の会計処理とを含む複数の会計処理を行う指示を受けると、前記預かり金額と、該預かり金額から前記第１の会計処理に対応する金額を減算した額に対応する釣銭額とを含む第１のレシートを発行するとともに、前記釣銭額に対応する預かり金額と、前記釣銭額に対応する預かり金額から前記第２の会計処理に対応する金額を減算した額に対応する釣銭額とを含む第２のレシートとを発行する印刷制御部と、を有することを特徴とする会計処理装置。
【請求項１０】
第１の預かり金額を取得する取得部と、
第１の会計処理と第２の会計処理とを含む複数の会計処理を行う指示を受けると、前記第１の預かり金額以下であって、前記第１の会計処理に対応する金額を預かり金額として表示し、釣銭を０円として表示した第１のレシートと、前記第１の預かり金額から前記第１の会計処理に対応する金額を引いて得られる金額を第２の預かり金額として表示し、該第２の預かり金額から前記第２の会計処理に対応する金額を引いて得られる金額を釣銭額として表示した第２のレシートを発行する印刷制御部と、を有することを特徴とする会計処理装置。
【請求項１１】
指定された額の預金引き出し処理と、会計処理とをまとめて行う操作を受け付ける受付部と、
前記指定された額の預金引き出し処理と、該預金引き出し処理で引き出される額を預かり金額煮含めて前記会計処理とを実行する会計処理部と、
前記預金引き出し処理の明細と、前記会計処理のレシートとを発行する印刷制御部と、を有することを特徴とする会計処理装置。
【発明の詳細な説明】
【技術分野】
【０００１】
本発明は、会計処理プログラム、会計処理方法及び会計処理装置に関する。
【背景技術】
【０００２】
従来から、購入される商品の情報を登録する登録装置と、登録された商品の情報に基づいて精算処理を行う精算装置とを有するＰＯＳ（Point  Of  Sales）システムが知られている。また、従来では、購入される商品の情報の登録処理と、購入される商品の情報に基づく精算処理の両方を行うＰＯＳ端末が知られている。
【０００３】
さらに、従来のＰＯＳ端末等では、複数分の取引をまとめて精算処理することが知られている。
【先行技術文献】
【特許文献】
【０００４】
【特許文献１】特開２０１６−９１１８５号公報
【特許文献２】特開２００３−１６８１６４号公報
【発明の概要】
【発明が解決しようとする課題】
【０００５】
しかしながら、従来のＰＯＳ端末やＰＯＳシステム等では、複数分の取引をまとめて精算処理した場合、複数の取引毎のレシート（領収書）は発行されない。そのため、従来では、複数の取引のそれぞれについて、レシートを取得しようとした場合、個々の取引毎に精算処理を行う必要があり、時間や手間がかかる。
【０００６】
開示の技術は、取引別にレシートを発行することを目的としている。
【課題を解決するための手段】
【０００７】
開示の技術は、預かり金額を取得し、第１の会計処理と第２の会計処理とを含む複数の会計処理を行う指示を受けると、前記預かり金額と、該預かり金額から前記第１の会計処理に対応する金額を減算した額に対応する釣銭額とを含む第１のレシートを発行するとともに、前記釣銭額に対応する預かり金額と、前記釣銭額に対応する預かり金額から前記第２の会計処理に対応する金額を減算した額に対応する釣銭額とを含む第２のレシートとを発行する、処理をコンピュータに実行させることを特徴とする会計処理プログラムである。
【０００８】
上記各処理は、上記各処理を行う手順、上記各処理を実現する機能部としても良く、各処理をコンピュータに実行させるプログラムを記憶したコンピュータ読み取り可能な記憶媒体とすることもできる。
【発明の効果】
【０００９】
取引別にレシートを発行できる。
【図面の簡単な説明】
【００１０】
【図１】第一の実施形態のＰＯＳシステムの概要を説明する図である。
【図２】第一の実施形態のＰＯＳシステムのシステム構成の一例を示す図である。
【図３】第一の実施形態の登録装置のハードウェア構成の一例を示す図である。
【図４】第一の実施形態の精算装置のハードウェア構成の一例を示す図である。
【図５】第一の実施形態の取引登録処理部の機能を説明する図である。
【図６】第一の実施形態の会計処理部の機能を説明する図である。
【図７】第一の実施形態の取引内容情報を説明する図である。
【図８】第一の実施形態の待ち行列テーブルの一例を示す図である。
【図９】第一の実施形態の登録装置の取引登録処理部による処理を説明するフローチャートである。
【図１０】第一の実施形態の精算装置の会計処理部の処理を説明するフローチャートである。
【図１１】第一の実施形態の登録装置における表示例を示す第一の図である。
【図１２】第一の実施形態の精算装置における表示例を示す図である。
【図１３】第一の実施形態の精算装置により発行されたレシートの一例を示す第一の図である。
【図１４】第一の実施形態の精算装置により発行されたレシートの一例を示す第二の図である。
【図１５】第一の実施形態の登録装置における表示例を示す第二の図である。
【図１６】第一の実施形態の精算装置により発行されたレシートの一例を示す第三の図である。
【図１７】第二の実施形態の登録精算装置について説明する図である。
【図１８】第二の実施形態の登録精算装置の動作を説明するフローチャートである。
【発明を実施するための形態】
【００１１】
（第一の実施形態）
以下に図面を参照して、第一の実施形態について説明する。図１は、第一の実施形態のＰＯＳシステムの概要を説明する図である。
【００１２】
本実施形態のＰＯＳ（Point  Of  Sales）システムは、登録装置１００と、精算装置２００とを有する。
【００１３】
本実施形態の登録装置１００は、主に、ＰＯＳシステムが導入された店舗の従業員等によって、使用されるＰＯＳレジスタであり、ＰＯＳシステムを用いて行われる取引の内容を示す情報の登録が行われる。また、本実施形態の登録装置１００は、取引の内容を示す情報の登録が完了すると、登録装置１００において指定された精算装置２００へ、取引の内容を示す情報を送信する。尚、以下の説明では、取引毎の取引の内容を示す情報を取引内容情報と呼ぶ。
【００１４】
本実施形態の精算装置２００は、主に、ＰＯＳシステムを用いて取引を行う顧客等によって使用されるＰＯＳ精算機である。精算装置２００では、登録装置１００から送信された取引内容情報に応じた会計処理を行う。つまり、本実施形態の精算装置２００は、会計処理を行う会計処理装置である。また、精算装置２００では、会計処理の結果に応じて、精算（金銭の授受）が行われる。
【００１５】
本実施形態のＰＯＳシステムを用いて行われる取引とは、例えば、商品の購入や、ＰＯＳシステムが導入された店舗によって発行されたハウス電子マネーカードへの電子マネーのチャージ等を含む。また、本実施形態のＰＯＳシステムを用いて行われる取引には、顧客の銀行口座からの預金の引き出しも含む。
【００１６】
ＰＯＳシステムにおいて行われる取引が、商品の購入である場合、登録装置１００は、スキャナにより、商品に付されているバーコードを読み取って、商品に関する情報を取得して取引内容情報を生成し、指定された精算装置２００へ送信する。
【００１７】
また、ＰＯＳシステムにおいて行われる取引が、ハウス電子マネーカードへの電子マネーのチャージや、預金の引き出し等である場合、登録装置１００は、ハウス電子マネーカードの情報や、銀行のキャッシュカードの情報等を用いて取引内容情報を生成し、指定された精算装置２００へ送信する。
【００１８】
精算装置２００では、受信した取引内容情報を順次記憶しておき、取引内容情報の指定と、会計処理の実行指示を受け付けると、取引内容情報に応じた会計処理を行う。
【００１９】
ここで、本実施形態のＰＯＳシステムでは、複数の取引内容情報を１つにまとめることができる。以下の説明では、複数の取引内容情報をまとめた情報を、取引情報と呼ぶ。本実施形態では、複数の取引を示す情報を１つの取引情報とすることで、精算装置２００において、取引情報に基づく会計処理の実行指示を受けるだけで、複数の取引の会計処理をまとめて実行することができる。
【００２０】
複数の取引とは、例えば、購入対象の商品を複数のグループに分けて購入する取引や、ハウス電子マネーカードのチャージと商品の購入の両方を行う取引や、預金の引き出しと商品の購入の両方を行う取引等である。
【００２１】
さらに、本実施形態のＰＯＳシステムでは、精算装置２００において、複数の取引毎に、取引の内容が記載された印刷物を発行することができる。本実施形態の取引の内容が記載された印刷物とは、例えば、購入対象の商品の詳細や、銀行口座に対する取引明細書等を含む。本実施形態の以下の説明では、精算装置２００から発行される、取引の内容が記載された印刷物をレシートと呼ぶ。
【００２２】
したがって、本実施形態のＰＯＳシステムによれば、複数の取引の会計処理を一度の金銭の授受にまとめ、且つ、複数の取引毎のレシートを発行することができる。
【００２３】
以下に、本実施形態のＰＯＳシステムについて説明する。図２は、第一の実施形態のＰＯＳシステムのシステム構成の一例を示す図である。
【００２４】
本実施形態のＰＯＳシステム３００は、登録装置１００と、精算装置２００と、管理サーバ４００と、を有する。本実施形態のＰＯＳシステム３００において、登録装置１００と、精算装置２００と、管理サーバ４００とは、ネットワークを介して接続されている。
【００２５】
また、本実施形態のＰＯＳシステム３００では、複数の精算装置２００を有していても良い。図２の例では、ＰＯＳシステム３００は、精算装置２００−１、精算装置２００−２、・・・、精算装置２００−ｎと、ｎ台の精算装置２００を有している。尚、以下の説明では、精算装置２００−１、精算装置２００−２、・・・、精算装置２００−ｎのそれぞれを区別しない場合には、精算装置２００と呼ぶ。
【００２６】
本実施形態のＰＯＳシステム３００において、精算装置２００の台数は、任意の数であって良い。
【００２７】
本実施形態の登録装置１００は、取引登録処理部１１０を有する。精算装置２００は、会計処理部２１０を有する。
【００２８】
本実施形態のＰＯＳシステム３００では、取引登録処理部１１０によって登録装置１００に登録された取引内容情報が、指定された精算装置２００へ送信される。精算装置２００は、会計処理部２１０によって、取引内容情報に含まれる取引の会計処理を実行し、取引毎のレシートを発行する。
【００２９】
また、本実施形態の管理サーバ４００は、例えば、ＰＯＳシステム３００が導入された店舗において取り扱われている商品に関する情報や、顧客に関す情報等を管理する。
【００３０】
次に、図３及び図４を参照して、本実施形態の登録装置１００と精算装置２００のハードウェア構成について説明する。
【００３１】
図３は、第一の実施形態の登録装置のハードウェア構成の一例を示す図である。本実施形態の登録装置１００は、それぞれバスＢで相互に接続されている入力装置１、表示装置２、表示装置３、ドライブ装置４、補助記憶装置５、スキャナ装置６、メモリ装置７、演算処理装置８、通信装置９、印刷装置１０を含む情報処理装置である。
【００３２】
入力装置１は、登録装置１００に対する各種の操作を行うための装置である。表示装置２は、取引の登録作業を行う作業者用の表示装置であり、取引の登録画面や、取り扱っている商品の一覧や、顧客に関する情報等が表示される。取引の登録作業を行う作業者用とは、例えば、ＰＯＳシステム３００が導入されている店舗の従業員等である。
【００３３】
表示装置３は、取引を行う顧客用の表示装置であり、登録された取引内容情報や、顧客のハウス電子マネーカードの残高、銀行口座の預金残高等が表示される。
【００３４】
ドライブ装置４は、取引の登録処理を行う取引登録プログラムを記録した記録媒体１１がセットされると、記録媒体１１から取引登録プログラムを補助記憶装置５にインストールする。
【００３５】
補助記憶装置５は、登録装置１００を制御する各種のプログラムが格納される。スキャナ装置６は、商品に付されたバーコード等を読み取る読取装置である。メモリ装置７は、登録装置１００の処理によって生成された各種の情報が格納される。演算処理装置８は、例えはＣＰＵ（Central  Processing  Unit）等であり、登録装置１００の全体を制御する。
【００３６】
通信装置９は、ＬＡＮカード等を含み、ネットワークに接続する為に用いられる。印刷装置１０は、必要に応じて媒体を印刷して発行する。例えば、印刷装置１０は、指定された精算装置２００において登録された取引内容情報を特定するためのバーコード等が印刷された券等を出力しても良い。
【００３７】
本実施形態の登録装置１００は、演算処理装置８が補助記憶装置５に格納された取引登録プログラムに従って、後述するような各種処理を実現する。
【００３８】
図４は、第一の実施形態の精算装置のハードウェア構成の一例を示す図である。本実施形態の精算装置２００は、それぞれバスＢで相互に接続されている入力装置２１、表示装置２２、ドライブ装置２３、補助記憶装置２４、スキャナ装置２５、メモリ装置２６、演算処理装置２７、通信装置２８、印刷装置２９を含む情報処理装置である。
【００３９】
入力装置２１は、精算装置２００に対する各種の操作を行うための装置である。表示装置２２は、会計処理を行う顧客に対して、取引内容や、会計処理の実行結果等を表示させる。
【００４０】
ドライブ装置２３は、会計処理を行う会計プログラムを記録した記録媒体３０がセットされると、記録媒体３０から会計プログラムを補助記憶装置２４にインストールする。
【００４１】
補助記憶装置２４は、精算装置２００を制御する各種のプログラムが格納される。スキャナ装置２５は、例えば、登録装置１００において、取引内容情報を特定するバーコード等が発行された場合には、このバーコードを読み取る読取装置である。
【００４２】
メモリ装置２６は、精算装置２００の処理によって生成された各種の情報や、登録装置１００から送信された取引内容情報等が格納される。演算処理装置２７は、例えはＣＰＵ等であり、精算装置２００の全体を制御する。
【００４３】
通信装置２８は、ＬＡＮカード等を含み、ネットワークに接続する為に用いられる。印刷装置２９は、会計処理の結果を示すレシートを印刷物として出力する。本実施形態の精算装置２００は、演算処理装置２７が補助記憶装置２４に格納された会計プログラムに従って、後述するような各種処理を実現する。
【００４４】
次に、図５及び図６を参照して、本実施形態の登録装置１００の取引登録処理部１１０と、精算装置２００の会計処理部２１０のそれぞれの機能について説明する。
【００４５】
図５は、第一の実施形態の取引登録処理部の機能を説明する図である。本実施形態の取引登録処理部１１０は、入力受付部１２０、表示制御部１３０、読取制御部１４０、金額確定部１５０、取引内容情報生成部１６０、取引内容情報記憶部１７０、取引まとめ部１８０、送信部１９０を有する。
【００４６】
本実施形態の入力受付部１２０は、入力装置１に対する各種の入力を受け付ける。表示制御部１３０は、表示装置２及び表示装置３の表示を制御する。
【００４７】
読取制御部１４０は、スキャナ装置６によるバーコードの読み取り等を制御する。金額確定部１５０は、入力受付部１２０や読取制御部１４０によって登録された取引内容における支払い金額又は払い出し金額を算出し、確定させる。
【００４８】
取引内容情報生成部１６０は、入力受付部１２０や読取制御部１４０によって登録された取引の内容と、金額確定部１５０によって算出された金額とに基づき、取引内容情報１７１を生成する。
【００４９】
取引内容情報記憶部１７０は、生成された取引内容情報１７１を記憶する。取引内容情報１７１の詳細は後述する。
【００５０】
取引まとめ部１８０は、入力受付部１２０により、複数の取引をまとめる操作を受け付けると、まとめる対象とされた複数の取引内容情報をまとめて取引情報とする。
【００５１】
送信部１９０は、入力受付部１２０によって精算装置２００の指定を受け付けると、指定さたれ精算装置２００に対し、取引内容情報や取引情報を送信する。
【００５２】
次に、図６を参照して、本実施形態の精算装置２００の会計処理部２１０の機能について説明する。図６は、第一の実施形態の会計処理部の機能を説明する図である。
【００５３】
本実施形態の会計処理部２１０は、情報取得部２２０、テーブル管理部２３０、会計実行部２４０、まとめ判定部２５０、表示制御部２６０、精算部２７０、印刷制御部２８０を有する。
【００５４】
情報取得部２２０は、登録装置１００から送信された取引内容情報や取引情報を受信し、取得する。テーブル管理部２３０は、待ち行列テーブル２３１を管理しており、取得した取引内容情報を待ち行列テーブル２３１に追加する。尚、本実施形態のテーブル管理部２３０は、情報取得部２２０が取引情報を取得した場合には、取引情報に含まれる複数の取引内容情報毎に、待ち行列テーブル２３１に追加する。
【００５５】
会計実行部２４０は、取引内容情報にしたがった会計処理を実行し、支払額又は払出額を算出する。また、会計実行部２４０は、処理結果を示す処理結果情報を印刷制御部２８０へ渡す。また、本実施形態の会計実行部２４０は、まとめ判定部２５０により、取引内容情報に複数の取引の取引内容が含まれると判定された場合には、各取引について、会計処理を実行した場合の処理結果情報を生成し、印刷制御部２８０へ渡す。
【００５６】
まとめ判定部２５０は、情報取得部２２０が登録装置１００から取得した情報が、取引情報であるか、又は、取引内容情報であるかを判定する。言い換えれば、まとめ判定部２５０は、情報取得部２２０が取得した情報が、複数の取引内容情報を含むか否かを判定する。表示制御部２６０は、精算装置２００に表示装置２２の表示を制御する。
【００５７】
精算部２７０は、会計実行部２４０によって算出された支払額又は払出額に応じて、金銭の受取、釣り銭や預金の払い出し等を行う。
【００５８】
印刷制御部２８０は、会計実行部２４０から渡される処理結果情報に応じて、印刷装置２９から取引毎のレシートを出力させる。
【００５９】
次に、図７を参照して、本実施形態の取引内容情報１７１について説明する。図７は、第一の実施形態の取引内容情報を説明する図である。
【００６０】
本実施形態の取引内容情報１７１は、情報の項目として、取引Ｎｏ．、まとめＮｏ．、まとめ内順序、取引種別、金額、支払種別、領収書、送信先を有する。取引内容情報１７１では、項目「取引Ｎｏ．」と、その他の項目とが対応付けられており、項目「取引Ｎｏ．」の値と、その他の項目の値とを含む。
【００６１】
項目「取引Ｎｏ．」の値は、取引を特定するための識別子を示す。項目「まとめＮｏ．」の値は、取引内容情報が取引情報に含まれるものであるいか否かを示す。具体的には、本実施形態では、項目「まとめＮｏ．」の値が一致する取引同士が１つの取引情報としてまとめられていることを示す。また、本実施形態では、項目「まとめＮｏ．」の値が割り振られていない場合、この取引Ｎｏ．の取引内容情報は、他の取引内容情報とまとめられていないことを示す。項目「まとめ内順序」の値は、項目「まとめＮｏ．」の値が一致する複数の取引の中での取引確定の実行順序を示す。
【００６２】
項目「取引種別」の値は、取引の種別を示す。項目「金額」の値は、取引において取り扱われる金額を示す。項目「支払種別」の値は、金銭の支払いの種類を示す。項目「領収書」の値は、レシートとは別に、別途領収書の発行が必要か否かを示す。項目「送信先」の値は、取引内容情報の送信先として指定された精算装置２００を示す。
【００６３】
図７の例では、「取引Ｎｏ．０００１」の取引内容情報１７１−１には、「まとめＮｏ．」が割り振られていない。したがって、取引内容情報１７１−１には、「取引Ｎｏ．０００１」の取引のみの情報が含まれることがわかる。
【００６４】
また、取引内容情報１７１−１によれば、「取引Ｎｏ．０００１」の取引では、９８０円の売上が現金によって支払われること、取引内容情報１７１−１は、精算装置２００−２に送信されることがわかる。また、取引内容情報１７１−１では、レシートとは別の領収書は不要であることがわかる。
【００６５】
また、図７の例では、「取引Ｎｏ．０００２」の取引内容情報１７１−２と、「取引Ｎｏ．０００３」の取引内容情報１７１−３には、「まとめＮｏ．」として「０１」と「０１」が割り振られている。したがって、取引内容情報１７１−２と、取引内容情報１７１−３とは、１つの取引情報１７２−１とされる。
【００６６】
取引情報１７２−１では、「取引Ｎｏ．０００２」の取引で３０００円が現金によってハウス電子マネーカードにチャージされること、「取引Ｎｏ．０００３」の取引で１５００円がハウス電子マネーカードの電子マネーによって支払われること、取引情報１７２−１は、精算装置２００−２に送信されることがわかる。また、取引情報１７２−１から、「取引Ｎｏ．０００２」、「取引Ｎｏ．０００３」の両方とも、レシートとは別の領収書は不要であることがわかる。
【００６７】
同様にして、図７の取引情報１７２−２では、「取引Ｎｏ．０００４」の取引で５００円の売上が現金によって支払われること、「取引Ｎｏ．０００５」の取引で８００円の売上が現金によって支払われること、取引情報１７２−２は、精算装置２００−３に送信されることがわかる。また、取引情報１７２−２から、「取引Ｎｏ．０００４」は、レシートとは別の領収書は不要であり、「取引Ｎｏ．０００５」は、レシートとは別の領収書は必要であることがわかる。
【００６８】
また、図７の取引情報１７２−３では、「取引Ｎｏ．０００６」の取引で５０００円が銀行口座から引き出されたこと、「取引Ｎｏ．０００７」の取引で１３００円の売上が現金によって支払われること、取引情報１７２−３は、精算装置２００−１に送信されることがわかる。また、取引情報１７２−３から、「取引Ｎｏ．０００６」、「取引Ｎｏ．０００７」の両方とも、レシートとは別の領収書は不要であることがわかる。
【００６９】
また、図７の取引情報１７２−４では、「取引Ｎｏ．０００８」の取引で２４００円の売上が現金によって支払われること、「取引Ｎｏ．０００９」の取引で５０００円の収納代行が現金によって行われたこと、取引情報１７２−４は、精算装置２００−２に送信されることがわかる。また、取引情報１７２−４から、「取引Ｎｏ．０００８」、「取引Ｎｏ．０００９」の両方とも、レシートとは別の領収書は不要であることがわかる。
【００７０】
次に、図８を参照して、精算装置２００における待ち行列テーブル２３１について説明する。図８は、第一の実施形態の待ち行列テーブルの一例を示す図である。
【００７１】
本実施形態の待ち行列テーブル２３１は、情報の項目として、処理順、取引Ｎｏ、まとめＮｏ、まとめ内順序、取引種別、金額、支払種別、領収書、支払額、払出額を有する。項目「処理順」の値は、精算装置２００において、会計処理を実行する順を示す。項目「支払額」の値は、精算装置２００に対して支払われる金額を示す。項目「払出額」の値は、精算装置２００から払い出される金額を示す。
【００７２】
図８における待ち行列テーブル２３１−１は、精算装置２００−１で管理されるものであり、待ち行列テーブル２３１−２は、精算装置２００−２で管理されるものであり、待ち行列テーブル２３１−ｎは、精算装置２００−２で管理されるものである。
【００７３】
図８の例では、待ち行列テーブル２３１−１には、待ち行列１７１−１ａと、待ち行列１７２−３ａと、待ち行列１７２−３ｂと、が格納されている。
【００７４】
待ち行列１７１−１ａは、取引内容情報１７１−１の項目「送信先」を除いた情報を含む。待ち行列１７２−３ａは、取引情報１７２−３において、「取引Ｎｏ．０００４」の取引内容情報から、項目「送信先」を除いた情報を含み、待ち行列１７２−３ｂは、取引情報１７２−３において、「取引Ｎｏ．０００５」の取引内容情報から、項目「送信先」を除いた情報を含む。
【００７５】
精算装置２００−１は、待ち行列テーブル２３１−１にしたがって、待ち行列１７１−１ａが示す会計処理を最初に実行し、現金による９８０円の支払いを受けたことがわかる。
【００７６】
また、精算装置２００−１では、待ち行列テーブル２３１−１にしたがって、待ち行列１７２−３ａが示す会計処理を２番目に実行し、銀行口座から５０００円を引き出すことがわかる。また、精算装置２００−１では、待ち行列テーブル２３１−１にしたがって、待ち行列１７２−３ｂが示す会計処理を３番目に実行し、現金による１３００円の支払いを受けることがわかる。
【００７７】
また、図８では、本実施形態では、待ち行列１７２−３ａと待ち行列１７２−３ｂとは、１つの取引情報に含まれる取引内容情報を含むものであるから、１つの会計処理として実行される。図８では、待ち行列１７２−３ａと待ち行列１７２−３ｂが示す会計処理が実行されると、３７００円が払い出されることがわかる。
【００７８】
次に、図９及び図１０を参照して、本実施形態の登録装置１００と精算装置２００のそれぞれの処理について説明する。
【００７９】
図９は、第一の実施形態の登録装置の取引登録処理部による処理を説明するフローチャートである。
【００８０】
本実施形態の取引登録処理部１１０は、入力受付部１２０により、取引の入力を受け付ける（ステップＳ９０１）。尚、取引の入力とは、図７に示す取引内容情報に含まれる項目のうち、少なくとも取引種別、金額、支払種別が入力されることを示す。尚、取引内容情報において、取引Ｎｏ，と、まとめＮｏ．，まとめ内順序は、自動的に割り振られるものである。
【００８１】
続いて、取引登録処理部１１０は、取引内容情報生成部１６０により、入力された取引の内容を示す取引内容情報を生成し、取引内容情報記憶部１７０に、生成した取引内容情報を格納する（ステップＳ９０２）。
【００８２】
具体的には、取引内容情報生成部１６０は、例えば、読取制御部１４０により商品に付されたバーコードが読み取られた場合には、取引種別を「売上」とし、取引種別と、バーコードから読み取った金額と、を取引Ｎｏ．と対応付ける。
【００８３】
続いて、取引登録処理部１１０は、金額確定部１５０によって、取り扱う金額を確定させる（ステップＳ９０３）。金額確定部１５０の処理の詳細は後述する。
【００８４】
続いて、取引登録処理部１１０は、入力受付部１２０により、取引のまとめを行うか否かを判定する（ステップＳ９０４）。具体的には、取引登録処理部１１０は、入力受付部１２０により、取引のまとめの指示を受け付けたか否かを判定している。
【００８５】
ステップＳ９０４において、まとめの指示を受け付けない場合、取引登録処理部１１０は、後述するステップＳ９０７へ進む。
【００８６】
ステップＳ９０４において、まとめの指示を受け付けた場合、取引登録処理部１１０は、入力受付部１２０により、次の取引の入力を受け付ける（ステップＳ９０５）。続いて、取引登録処理部１１０は、取引内容情報生成部１６０により、入力された取引の内容を示す取引内容情報を生成して、取引内容情報記憶部１７０に生成した取引内容情報を格納し（ステップＳ９０６）、ステップＳ９０３へ戻る。
【００８７】
ここで、金額確定部１５０の処理について説明する。本実施形態の金額確定部１５０は、取引内容情報の取引種別と、金額とに基づき、取引で取り扱われる金額の合計を算出する。算出された金額は、表示制御部１３０によって、表示装置２、３に表示される。
【００８８】
ステップＳ９０４において、取引のまとめを行わない場合、取引登録処理部１１０は、取引内容情報又は取引情報の送信先となる精算装置２００の指定を受け付ける（ステップＳ９０７）。
【００８９】
続いて、取引登録処理部１１０は、複数の取引が入力されたか否かを判定する（ステップＳ９０８）。ステップＳ９０８において、複数の取引が入力されていた場合、取引登録処理部１１０は、取引まとめ部１８０により、入力された取引毎の取引内容情報に、まとめＮｏ．を付与し、１つの取引情報とする（ステップＳ９０９）。
【００９０】
続いて、取引登録処理部１１０は、送信部１９０により、取引情報又は取引内容情報を指定された精算装置２００へ送信し（ステップＳ９１０）、処理を終了する。
【００９１】
また、ステップＳ９０８において、複数の取引が入力されていない場合、すなわち、入力された取引が１つであった場合、取引登録処理部１１０は、ステップＳ９１０へ進み、取引内容情報を指定された精算装置２００へ送信し、処理を終了する。
【００９２】
以上のように、本実施形態では、複数の取引が入力された場合には、複数の取引毎の取引内容情報を、まとめＮｏ．によって紐付けられた１つの取引情報として、精算装置２００へ送信する。本実施形態では、このように、複数の取引内容情報を１つの取引情報として精算装置２００へ送信することで、精算装置２００において、複数の取引の会計処理を一度で実行でき、さらに、取引毎のレシートを発行することができる。
【００９３】
次に、図１０を参照して、精算装置２００の会計処理部２１０の処理について説明する。図１０は、第一の実施形態の精算装置の会計処理部の処理を説明するフローチャートである。
【００９４】
本実施形態の精算装置２００の会計処理部２１０は、情報取得部２２０により、登録装置１００から、取引内容情報又は取引情報を受信する（ステップＳ１００１）。続いて、会計処理部２１０は、テーブル管理部２３０により、受信した取引内容情報又は取引情報を、待ち行列テーブル２３１の最後尾へ追加する（ステップＳ１００２）。
【００９５】
続いて、会計処理部２１０は、会計実行部２４０により、待ち行列テーブル２３１において、先頭の待ち行列が示す会計処理の実行を開始する（ステップＳ１００３）。
【００９６】
続いて、会計処理部２１０は、まとめ判定部２５０により、先頭の待ち行列に、まとめＮｏ．が割り振られているか否かを判定する（ステップＳ１００４）。ステップＳ１００４において、まとめＮｏ．が割り振られていない場合、会計処理部２１０は、後述するステップＳ１０１０へ進む。
【００９７】
ステップＳ１００４において、まとめＮｏ．が割り振られている場合、会計処理部２１０は、会計実行部２４０により、待ち行列テーブル２３１において、まとめＮｏ．の値が一致する待ち行列を抽出する（ステップＳ１００５）。
【００９８】
続いて、会計処理部２１０は、会計実行部２４０によって、抽出された待ち行列が示す会計処理を全て実行した結果の支払額又は払出額を算出し、表示制御部２６０によって、算出された支払額又は払出額を表示装置２２に表示させる（ステップＳ１００６）。
【００９９】
続いて、会計処理部２１０は、精算部２７０により、精算処理を行い（ステップＳ１００７）、印刷制御部２８０によって、印刷装置２９から取引毎のレシートを出力する（ステップＳ１００８）。
【０１００】
続いて、会計処理部２１０は、待ち行列テーブル２３１に他の待ち行列が存在するか否かを判定する（ステップＳ１００９）。ステップＳ１００９において、他の待ち行列が存在する場合、会計処理部２１０は、ステップＳ１００３に戻る。ステップＳ１００９において、他の待ち行列が存在しない場合、会計処理部２１０は、処理を終了する。
【０１０１】
また、ステップＳ１００４において、待ち行列にまとめＮｏ．が割り振られていない場合、会計処理部２１０は、表示制御部２６０により、待ち行列に含まれる支払額又は払出額を表示装置２２に表示させる（ステップＳ１０１０）。続いて、会計処理部２１０は、精算部２７０により精算処理を行い（ステップＳ１０１１）、印刷制御部２８０により、印刷装置２９から、まとめ内順序の取引順に、レシートを発行させ（ステップＳ１０１２）、ステップＳ１００９へ進む。
【０１０２】
以上のように、本実施形態の精算装置２００では、複数の取引がまとめられていた場合には、各取引毎のレシートを出力することができる。
【０１０３】
以下に、本実施形態の登録装置１００による取引の入力と、精算装置２００によるレシートの発行について、具体的に説明する。
【０１０４】
図１１は、第一の実施形態の登録装置における表示例を示す第一の図である。図１１では、２つのグループに分けて商品を購入する取引が入力される場合を示しており、図１１（Ａ）から図１１（Ｄ）は、取引の入力における表示装置２の画面の遷移を示している。
【０１０５】
図１１（Ａ）では、１つ目のグループの商品に付されたバーコードが読み取られた後に、表示装置２に表示された画面２０１−１を示している。画面２０１−１では、５０００円の商品Ａに関する情報２０２が入力された状態を示している。
【０１０６】
ここで、登録装置１００は、例えば、取引の入力が完了して預／合計ボタンが押された場合、表示制御部１３０により画面２０１−１を図１１（Ｂ）に示す画面２０１−２に遷移させる。
【０１０７】
画面２０１−２では、操作ボタン２０３、２０４、２０５が表示される。操作ボタン２０３は、精算装置２００を選択するための操作ボタンである。操作ボタン２０４は、画面２０１−１で入力された取引を、これから入力される取引とまとめるたるめの操作ボタンである。操作ボタン２０５は、取引情報又は取引内容情報の送信を指示するための操作ボタンである。また、画面２０１−２では、残額欄２０６に、預かり金１００００円から商品の代金である５０００円を減算した金額である５０００円が表示される。ここで、画面２０１−１で入力された取引を、取引Ａと呼ぶ。
【０１０８】
登録装置１００は、画面２０１−２において、操作ボタン２０３によって精算装置２００が選択されると、選択された精算装置２００に、情報２０２を含む取引内容情報を送信する。登録装置１００は、登録装置１００又は精算装置２００の通信の不具合等により取引内容情報を送信できない場合には、操作ボタン２０５に対する操作を受け付けて、二次元バーコード等を含む精算券を出力してもよい。この場合、後述する精算装置２００においては、上記の精算券の二次元バーコードを読み込み、取引情報を精算装置２００の画面に表示させる。
【０１０９】
画面２０１−２において、操作ボタン２０４が操作されると、登録装置１００は、表示制御部１３０により、画面２０１−２を、図１１（Ｃ）に示す画面２０１−３に遷移させる。画面２０１−３は、次の取引を入力するための入力画面である。画面２０１−３で入力される取引は、画面２０１−１で入力された取引とまとめられる取引である。
【０１１０】
画面２０１−３では、２つ目のグループの商品に付されたバーコードが読み取られた後に、表示装置２に表示された例を示している。画面２０１−３では、３０００円の商品Ｂに関する情報２０６が入力された状態を示している。ここで、画面２０１−３で入力された取引を、取引Ｂと呼ぶ。
【０１１１】
登録装置１００は、例えば、画面２０１−３において取引の入力が完了し、預／合計ボタンが押下されると、表示制御部１３０によって、画面２０１−３を、図１１（Ｄ）に示す画面２０１−４に遷移させる。
【０１１２】
画面２０１−４では、操作ボタン２０３と、操作ボタン２０５と、操作ボタン２０７が表示される。操作ボタン２０７は、画面２０１−１で入力された取引と、画面２０１−３で入力された取引に、さらにこれから入力される取引をまとめるための操作ボタンである。
【０１１３】
また、操作ボタン２０７には、入力済みの取引の数を示す数字が表示される。画面２０１−４では、画面２０１−１において、取引Ａの入力が完了しているため、操作ボタン２０７には、「まとめ」の後に、入力済みの取引の数として（１）と表示される。
つまり、画面２０１−４では、画面２０１−３で入力された取引Ｂが、２つ目の取引であることがわかる。
【０１１４】
ここで、例えば、操作ボタンか２０３によって精算装置２００が選択されると、登録装置１００は、選択された精算装置２００に対し、取引Ａの取引内容情報と、取引Ｂの取引内容情報とを含む取引情報を送信する。
【０１１５】
図１２は、第一の実施形態の精算装置における表示例を示す図である。図１２に示す画面１２１では、取引Ａに関する情報２０８と取引Ｂに関する情報２０９が表示される。また、画面１２１のお買い上げ金額合計欄２１３には、取引Ａの代金と取引Ｂの代金の合計金額である８０００円が表示される。また、顧客が精算装置２００に投入した金額が、入金金額欄２１１に表示され、お買上げ金額合計から入金金額を減じた残り入金金額が、残り入金金額欄２１２に表示される。さらに、入金金額がお買上げ金額を上回った場合、おつりの金額がおつり欄２１３に表示される。入金金額はお買上げ金額を上回った場合、精算処理が実行される。
【０１１６】
次に、図１３を参照して、本実施形態の精算装置２００によるレシートの発行について説明する。
【０１１７】
図１３は、第一の実施形態の精算装置により発行されたレシートの一例を示す第一の図である。図１３（Ａ）は、取引Ａの会計処理の結果を示すレシートの一例を示す図あり、図１３（Ｂ）は、取引Ｂの会計処理の結果をレシートの一例を示す図である。
【０１１８】
図１３（Ａ）に示すレシート１３１−１には、商品Ａに関する情報２０２と、取引Ａにおいて購入される商品の代金の合計額１３２−１と、預かり金の金額１３３−１と、釣銭額１３４−１とが印刷されている。
【０１１９】
また、図１３（Ｂ）に示すレシート１３１−２には、商品Ｂに関する情報２０６と、取引Ｂにおいて購入される商品の代金の合計額１３２−２と、預かり金の金額１３３−２と、釣銭額１３４−２とが印刷されている。
【０１２０】
図１３の例では、レシート１３１−１では、取引Ａ及び取引Ｂの会計処理に対する預かり金額１３３−１（１００００円）から、取引Ａの商品の合計額１３２−１（５０００円）を減額した金額が、釣銭額１３４−１（５０００円）として印刷される。
【０１２１】
また、レシート１３１−２では、取引Ａ及び取引Ｂの会計処理に対する預かり金額１３３−１（１００００円）から、取引Ａの商品の合計額１３２−１を減額した金額が、預かり金額１３３−２（５０００円）として印刷される。そして、レシート１３１−２では、取引Ｂの会計処理に対する預かり金額１３３−２（５０００円）から、取引Ｂの商品の合計額１３２−２（３０００円）を減額した金額が、釣銭額１３４−２（２０００円）として印刷される。
【０１２２】
このように、本実施形態では、複数の取引の会計処理を１度の金銭の授受によって、行い、且つ、複数の取引毎にレシートを発行することができる。
【０１２３】
このための本実施形態によれば、複数の取引の会計処理において、取引毎のレシートを発行させるために、取引毎に複数回の金銭の授受を行う、といった手間を削減できる。
【０１２４】
図１４は、第一の実施形態の精算装置により発行されたレシートの一例を示す第二の図である。図１４（Ａ）は、取引Ａの会計処理の結果を示すレシートの一例を示す図あり、図１４（Ｂ）は、取引Ｂの会計処理の結果をレシートの一例を示す図である。
【０１２５】
図１４（Ａ）に示すレシート１４１−１には、商品Ａに関する情報２０２と、取引Ａにおいて購入される商品の代金の合計額１４２−１と、預かり金の金額１４３−１と、釣銭額１４４−１とが印刷されている。
【０１２６】
また、図１４（Ｂ）に示すレシート１４１−２には、商品Ｂに関する情報２０６と、取引Ｂにおいて購入される商品の代金の合計額１４２−２と、預かり金の金額１４３−２と、釣銭額１４４−２とが印刷されている。
【０１２７】
図１４の例では、レシート１４１−１では、取引Ａ及び取引Ｂの会計処理に対する預かり金額のうち、取引Ａにおいて購入される商品の代金の合計額１４２−１（５０００円）が、預かり金額１４３−１として印刷される。したがって、レシート１４１−１では、釣銭額１４４−１は０円として印刷される。
【０１２８】
また、図１４の例では、レシート１４１−２では、取引Ａ及び取引Ｂの会計処理に対する預かり金額である１００００円から、取引Ａにおいて購入される商品の代金の合計額１４２−１（５０００円）を減算した金額である５０００円が、預かり金額１４３−２として印刷される。したがって、レシート１４１−２では、釣銭額１４４−２は、預かり金額１４３−２（５０００円）から取引Ｂにおいて購入される商品の代金の合計額１４２−２（３０００円）を減算した金額である２０００円として印刷される。
【０１２９】
つまり、図１４の例では、最初に入力された取引Ａのレシート１４１−１では、釣銭額１４４−１を０円として発行することができる。
【０１３０】
尚、図１４では、取引Ａのレシート１４１−１の釣銭額１４４−１を０円とする例を説明したが、釣銭額が０円とされる取引は、取引Ａに限定されない。本実施形態では、取引Ｂの釣銭額が０円となるようにしても良い。
【０１３１】
言い換えれば、本実施形態では、複数の取引のうち、任意の取引のレシートの釣銭額を０円として印刷することができる。
【０１３２】
次に、図１５を参照して、預金の引き出す取引である取引Ｃと、商品を購入する取引である取引Ｄとをまとめる場合の登録装置１００の表示の例について説明する。
【０１３３】
図１５は、第一の実施形態の登録装置における表示例を示す第二の図である。図１５では、預金を引き出す取引と、商品を購入する取引が入力される場合を示しており、図１５（Ａ）から図１５（Ｄ）は、取引の入力における表示装置２の画面の遷移を示している。
【０１３４】
図１５（Ａ）では、１つ目の取引である取引Ｃに関する情報が、表示装置２に表示された画面１５１−１を示している。画面１５１−１では、銀行口座の預金から５０００円が引き出されたことを示す情報１５２が入力された状態を示している。預金の引き出しが行われると、画面１５１−１の払出欄１５３には、引き出された金額として、５０００円が表示される。
【０１３５】
登録装置１００は、預金の引き出しが行われると、表示制御部１３０により画面１５１−１を図１５（Ｂ）に示す画面１５１−２に遷移させる。
【０１３６】
画面１５１−２では、操作ボタン１５４、１５５、１５６が表示される。操作ボタン１５４は、精算装置２００を選択するための操作ボタンである。操作ボタン１５５は、画面１５１−１で入力された取引を、これから入力される取引とまとめるたるめの操作ボタンである。操作ボタン１５６は、二次元バーコード等を含む精算券の出力するための操作ボタンである。また、画面１５１−２では、払出欄１５７に、預金から引き出された金額である５０００円が表示される。また、画面１５１−２では、払出欄１５７に、預金から引き出された金額である５０００円が表示される。
【０１３７】
登録装置１００は、画面１５１−２において、操作ボタン１５４によって精算装置２００が選択されると、選択された精算装置２００に、情報１５２を含む取引内容情報を送信し、表示制御部１３０により、画面１５１−２を、図１５（Ｃ）に示す画面１５１−３に遷移させる。画面１５１−３は、次の取引を入力するための入力画面である。画面１５１−３で入力される取引は、画面１５１−１で入力された取引Ｃとまとめられる取引である。
【０１３８】
画面１５１−３では、２つ目の取引である取引Ｄで購入される商品Ｃに付されたバーコードが読み取られた後に、表示装置２に表示された例を示している。画面１５１−３では、１３００円の商品Ｃに関する情報１５９が入力された状態を示している。また、画面１５１−３では、画面１５１−２の残額欄１５８に表示された残額５０００円が、預かり金欄１８１に表示される。また、画面１５１−３では、預かり金欄１８１に表示された残額５０００円と商品Ｃの代金である２０００円を減算した金額である３０００円が、釣銭欄１８２に表示される。
【０１３９】
画面１５１−３において、取引の入力が完了し、預／合計ボタンが押下されると、登録装置１００は、表示制御部１３０によって、画面１５１−３を、図１５（Ｄ）に示す画面１５１−４に遷移させる。
【０１４０】
画面１５１−４では、操作ボタン１５４と、操作ボタン１５６と、操作ボタン１８３が表示される。操作ボタン１８３は、画面１５１−１で入力された取引と、画面１５１−３で入力された取引に、さらにこれから入力される取引をまとめるための操作ボタンである。
【０１４１】
また、画面１５１−４では、取引Ｄにおける商品の代金の合計金額である１３００円が、合計欄１８４に表示される。ここで、例えば、操作ボタン１５４によって精算装置２００が選択されると、登録装置１００は、選択された精算装置２００に対し、取引Ｃの取引内容情報と、取引Ｄの取引内容情報とを含む取引情報を送信する。
【０１４２】
次に、図１６を参照して、精算装置２００による取引Ｃと取引Ｄのレシートの発行について説明する。
【０１４３】
図１６は、第一の実施形態の精算装置により発行されたレシートの一例を示す第三の図である。図１６（Ａ）は、取引Ｃの会計処理の結果を示すレシートの一例を示す図あり、図１６（Ｂ）は、取引Ｄの会計処理の結果をレシートの一例を示す図である。
【０１４４】
図１６（Ａ）に示すレシート１６１−１には、取引Ｃにおいて、銀行口座の預金から５０００円が引き出されたことを示す情報１５２と、払出欄１５３に表示された取引Ｃにおける払出額１６２が印刷されている。尚、レシート１６１−１では、銀行口座の預金残高１６３が印刷されても良い。つまり、本実施形態のレシート１６１−１は、預金の引き出しの明細書の役割を果たす。
【０１４５】
また、図１６（Ｂ）に示すレシート１６１−２には、取引Ｄにおいて購入した商品Ｃに関する情報１５９と、取引Ｄにおいて購入される商品の代金の合計額１６４と、預かり金額１６５と、釣銭額１６６とが印刷されている。合計額１６４は、画面１５１−４の合計欄１８４に表示された金額であり、預かり金額１６５は、画面１５１−４の預かり金欄１８５に表示された金額であり、釣銭額１６６は、画面１５１−４の残額欄１８６に表示された金額である。
【０１４６】
つまり、取引Ｃと取引Ｄの会計処理をまとめて行った場合、図１６に示すように、レシート１６１−１では、取引Ｃの預金の引き出し処理の明細書が印刷される。また、レシート１６１−２では、取引Ｃの引き出し処理によって払い出された金額５０００円が、預かり金額１６５として印刷され、取引Ｄの商品の合計額１６４（１３００円）を減額した金額が、釣銭額１６６（３７００円）として印刷される。
【０１４７】
このように、本実施形態では、複数の取引に、預金の引き出しが含まれていた場合でも、一度の金銭の授受によって行い、且つ、複数の取引毎に、預金の引き出しの明細書と、その他の取引のレシートとを個別に発行することができる。
【０１４８】
尚、図１６の例では、預金を引き出し、預金から引き出された金額よりも低額の商品を購入する場合を示したが、預金が引き出される場合は、これに限定されない。
【０１４９】
例えば、ハウス電子マネーカードにチャージされた電子マネーによって商品を購入しようとした場合に、精算装置２００は、商品の購入額がハウス電子マネーカードにチャージされた金額よりも大きい場合等には、不足分を預金から引き出しても良い。
【０１５０】
この場合、精算装置２００では、商品を購入する取引と、預金を引き出す取引と、がまとめられ、商品の代金とハウス電子マネーカードにチャージされた金額との差額が預金から引き出されるため、釣り銭は発生しない。
【０１５１】
尚、本実施形態では、登録装置１００が取引登録処理部１１０による処理を実行し、精算装置２００が会計処理部２１０による処理を実行するものとしたが、これに限定されない。
【０１５２】
本実施形態では、例えば、取引登録処理部１１０と、会計処理部２１０とを管理サーバ４００に設けても良い。この場合、登録装置１００において入力された取引内容情報又は取引情報は、管理サーバ４００に送信され、保持される。また、管理サーバ４００は、精算装置２００において、顧客からの会計処理の実行指示を受け付けると、実行指示と対応する取引内容情報又は取引情報を用いて会計処理を実行し、金銭の授受とレシートの発行のみを精算装置２００に行わせても良い。
【０１５３】
この場合には、取引内容情報又は取引情報を顧客と対応付けておけば、顧客は、任意の精算装置２００において、精算及びレシートの受け取りを行うことができる。
【０１５４】
（第二の実施形態）
以下に図面を参照して第二の実施形態について説明する。第二の実施形態は、取引の登録処理と精算処理を１台で行う登録精算装置に、第一の実施形態を適用した形態である。よって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１５５】
図１７は、第二の実施形態の登録精算装置について説明する図である。本実施形態の登録精算装置５００は、登録装置１００の有する機能である取引登録処理部１１０と、精算装置２００の有する機能である会計処理部２１０と、を有する。本実施形態の登録精算装置５００は、例えば、レーン型のＰＯＳ端末である。
【０１５６】
図１８は、第二の実施形態の登録精算装置の動作を説明するフローチャートである。図１８のステップＳ１８０１からステップＳ１８０６までの処理は、図９のステップＳ９０１からステップＳ９０６までの処理と同様であるから、説明を省略する。
【０１５７】
ステップＳ１８０４において、取引のまとめを行わない場合、登録精算装置５００は、取引の入力が完了したことを示す入力完了の指示を受け付ける（ステップＳ１８０７）。
【０１５８】
続いて、登録精算装置５００は、複数の取引が入力されたか否かを判定する（ステップＳ１８０８）。ステップＳ１８０８において、複数の取引が入力されていない場合、すなわち、入力された取引が１つであった場合、登録精算装置５００は、後述するステップＳ１８１３へ進む。
【０１５９】
ステップＳ１８０８において、入力された取引が複数であった場合、登録精算装置５００は、入力された取引内容情報のそれぞれにまとめＮｏ．を付与して取引情報とし（ステップＳ１８０９）、ステップＳ１８１０へ進む。
【０１６０】
図１８のステップＳ１８１０からステップＳ１８１２までの処理は、図１０のステップＳ１００６からステップＳ１００８までの処理と同様であるから、説明を省略する。また、図１８のステップＳ１８１３からステップＳ１８１５までの処理は、図１０のステップＳ１０１０からステップＳ１０１２までの処理と同様であるから、説明を省略する。
【０１６１】
以上のように、本実施形態の登録精算装置５００では、複数の取引の会計処理を１度の金銭の受け渡しで行うことができ、且つ、取引毎のレシートを発行させることができる。
【０１６２】
開示の技術では、以下に記載する付記のような形態が考えられる。
（付記１）
預かり金額を取得し、
第１の会計処理と第２の会計処理とを含む複数の会計処理を行う指示を受けると、前記預かり金額と、該預かり金額から前記第１の会計処理に対応する金額を減算した額に対応する釣銭額とを含む第１のレシートを発行するとともに、前記釣銭額に対応する預かり金額と、前記釣銭額に対応する預かり金額から前記第２の会計処理に対応する金額を減算した額に対応する釣銭額とを含む第２のレシートとを発行する、
処理をコンピュータに実行させることを特徴とする会計処理プログラム。
（付記２）
第１の預かり金額を取得し、
第１の会計処理と第２の会計処理とを含む複数の会計処理を行う指示を受けると、前記第１の預かり金額以下であって、前記第１の会計処理に対応する金額を預かり金額として表示し、釣銭を０円として表示した第１のレシートと、前記第１の預かり金額から前記第１の会計処理に対応する金額を引いて得られる金額を第２の預かり金額として表示し、該第２の預かり金額から前記第２の会計処理に対応する金額を引いて得られる金額を釣銭額として表示した第２のレシートを発行する、
処理をコンピュータに実行させることを特徴とする会計処理プログラム。
（付記３）
取引の入力が行われる登録装置から、取引の内容を示す情報を受信し、
受信した前記情報に、複数の取引の内容を示す情報が含まれか否かを判定し、
複数の前記取引の内容を示す情報が含まれるとき、前記複数の取引と対応する前記第１の会計処理と、前記第２の会計処理とを行う、処理を前記コンピュータに実行させることを特徴とする付記１又は２記載の会計処理プログラム。
（付記４）
指定された額の預金引き出し処理と、会計処理とをまとめて行う操作を受け付けると、指定された額の預金引き出し処理と、該預金引き出し処理で引き出される額を預かり金額として前記会計処理を実行し、
前記預金引き出し処理の明細と、前記会計処理のレシートとを発行する、
処理をコンピュータに実行させることを特徴とする会計処理プログラム。
（付記５）
前記預金引き出しの処理は、前記会計処理で必要となる金額を前記引き出される額とする、
ことを特徴とする、付記４記載の会計処理プログラム。
（付記６）
第１の取引に関する情報の入力を受け付け、
前記第１の取引に関する情報を、次に入力される第２の取引とまとめる指示を受け付けたとき、
前記第１の取引の内容を示す第１の取引内容情報と、前記第１の取引の内容を示す第２の取引内容情報と、を対応付けた取引情報とし、
前記取引情報を、複数の会計処理装置のうち、指定された会計処理装置へ送信する、処理をコンピュータに実行させることを特徴とする、登録処理プログラム。
（付記７）
預かり金額を取得し、
第１の会計処理と第２の会計処理とを含む複数の会計処理を行う指示を受けると、前記預かり金額と、該預かり金額から前記第１の会計処理に対応する金額を減算した額に対応する釣銭額とを含む第１のレシートを発行するとともに、前記釣銭額に対応する預かり金額と、前記釣銭額に対応する預かり金額から前記第２の会計処理に対応する金額を減算した額に対応する釣銭額とを含む第２のレシートとを発行する、
処理をコンピュータが実行することを特徴とする会計処理方法。
（付記８）
第１の預かり金額を取得し、
第１の会計処理と第２の会計処理とを含む複数の会計処理を行う指示を受けると、前記第１の預かり金額以下であって、前記第１の会計処理に対応する金額を預かり金額として表示し、釣銭を０円として表示した第１のレシートと、前記第１の預かり金額から前記第１の会計処理に対応する金額を引いて得られる金額を第２の預かり金額として表示し、該第２の預かり金額から前記第２の会計処理に対応する金額を引いて得られる金額を釣銭額として表示した第２のレシートを発行する、
処理をコンピュータが実行することを特徴とする会計処理方法。
（付記９）
指定された額の預金引き出し処理と、会計処理とをまとめて行う操作を受け付けると、前記指定された額の預金引き出し処理と、該預金引き出し処理で引き出される額を預かり金額に含めて前記会計処理とを実行し、
前記預金引き出し処理の明細と、前記会計処理のレシートとを発行する、
処理をコンピュータが実行することを特徴とする会計処理方法。
（付記１０）
預かり金額を取得する取得部と、
第１の会計処理と第２の会計処理とを含む複数の会計処理を行う指示を受けると、前記預かり金額と、該預かり金額から前記第１の会計処理に対応する金額を減算した額に対応する釣銭額とを含む第１のレシートを発行するとともに、前記釣銭額に対応する預かり金額と、前記釣銭額に対応する預かり金額から前記第２の会計処理に対応する金額を減算した額に対応する釣銭額とを含む第２のレシートとを発行する印刷制御部と、を有することを特徴とする会計処理装置。
（付記１１）
第１の預かり金額を取得する取得部と、
第１の会計処理と第２の会計処理とを含む複数の会計処理を行う指示を受けると、前記第１の預かり金額以下であって、前記第１の会計処理に対応する金額を預かり金額として表示し、釣銭を０円として表示した第１のレシートと、前記第１の預かり金額から前記第１の会計処理に対応する金額を引いて得られる金額を第２の預かり金額として表示し、該第２の預かり金額から前記第２の会計処理に対応する金額を引いて得られる金額を釣銭額として表示した第２のレシートを発行する印刷制御部と、を有することを特徴とする会計処理装置。
（付記１２）
指定された額の預金引き出し処理と、会計処理とをまとめて行う操作を受け付ける受付部と、
前記指定された額の預金引き出し処理と、該預金引き出し処理で引き出される額を預かり金額に含めて前記会計処理とを実行する会計処理部と、
前記預金引き出し処理の明細と、前記会計処理のレシートとを発行する印刷制御部と、を有することを特徴とする会計処理装置。
【０１６３】
本発明は、具体的に開示された実施形態に限定されるものではなく、特許請求の範囲から逸脱することなく、種々の変形や変更が可能である。
【符号の説明】
【０１６４】
１００  登録装置
１１０  取引登録処理部
１２０  入力受付部
１３０  表示制御部
１４０  読取制御部
１５０  金額確定部
１６０  取引内容情報生成部
１７０  取引内容情報記憶部
１７１  取引内容情報
１８０  取引まとめ部
１９０  送信部
２００  精算装置
２１０  会計処理部
２２０  情報取得部
２３０  テーブル管理部
２３１  待ち行列テーブル
２４０  会計実行部
２５０  まとめ判定部
２６０  印刷制御部
２７０  精算部
３００  ＰＯＳシステム
４００  管理サーバ
５００  登録精算装置
【図１】
2018185761.tif 000003
【図２】
2018185761.tif 000004
【図３】
2018185761.tif 000005
【図４】
2018185761.tif 000006
【図５】
2018185761.tif 000007
【図６】
2018185761.tif 000008
【図７】
2018185761.tif 000009
【図８】
2018185761.tif 000010
【図９】
2018185761.tif 000011
【図１０】
2018185761.tif 000012
【図１１】
2018185761.tif 000013
【図１２】
2018185761.tif 000014
【図１３】
2018185761.tif 000015
【図１４】
2018185761.tif 000016
【図１５】
2018185761.tif 000017
【図１６】
2018185761.tif 000018
【図１７】
2018185761.tif 000019
【図１８】
2018185761.tif 000020